(57)【特許請求の範囲】
【請求項１】
遊技盤の盤面上に形成された遊技領域を流下する遊技球を遊技球経路に誘導するため、この遊技球経路の入口となる入賞口への入球が規制された状態である閉鎖位置からその規制が解除された状態である開放位置まで変位可能な開閉部材と、
この開閉部材を変位させるための基となる駆動源と、
この駆動源の動力を開閉部材まで伝達するリンク機構と、
を有する入賞装置を備えた遊技機において、
前記リンク機構は、少なくとも、第一伝達部材および第二伝達部材を含み、
前記駆動源が駆動することで前記第一伝達部材が原位置から終端位置にかけて移動し、前記第一伝達部材の移動に伴って前記第二伝達部材が変位することで前記開閉部材を前記開放位置にする一方、前記第一伝達部材が前記終端位置から前記原位置にかけて移動することに伴って前記第二伝達部材が変位し、前記開閉部材を前記閉鎖位置にするように構成され、
前記第一伝達部材が前記原位置に位置する際に前記開閉部材が前記開放位置に変位しないように前記第二伝達部材の動作を規制する規制部材を有し、
前記規制部材は、前記第一伝達部材が前記原位置から前記終端位置に移動する過程で、前記第二伝達部材の動作を規制する規制位置から、前記第二伝達部材の動作の規制を解除する規制解除位置に移動するように構成され、
前記第二伝達部材および前記規制部材は、ともに前記遊技球経路を構成する経路部材の壁面に回動自在に支持されるとともに、前記原位置において互いに略対向する面を有し、
この略対向する面は、前記閉鎖位置に位置する前記開閉部材に対して前記開放位置に向けて強制的に移動させようとする力が加わったときに接触し、前記第二伝達部材および前記規制部材のそれぞれの回動を互いに阻止することを特徴とする遊技機。
【発明の詳細な説明】
【技術分野】
【０００１】
本発明は、入賞口への遊技球の入賞を制御する入賞装置が備えられた遊技機に関する。
【背景技術】
【０００２】
駆動源によって開閉部材を動作させることで、入賞口の開放状態と閉鎖状態を切り替える入賞装置が公知である。例えば下記特許文献１には、針金のようなものを使って開閉部材を無理矢理こじ開ける不正行為を防止するための機構を備えた入賞装置が記載されている。
【先行技術文献】
【特許文献】
【０００３】
【特許文献１】特開２００２−１８００５号公報
【発明の概要】
【発明が解決しようとする課題】
【０００４】
しかし、特許文献１に記載の入賞装置は、開閉部材を動作させる駆動源や、上記不正行為を防止する機構によって装置が大型化してしまうという問題がある。このような構成では、遊技機内の限られたスペースに入賞装置を設置することが困難となる場合がある。
【０００５】
上記実情に鑑み、本発明は、入賞口への遊技球の入賞を制御する入賞装置の小型化を目的とする。
【課題を解決するための手段】
【０００６】
上記課題を解決するためになされた本発明にかかる遊技機は、遊技盤の盤面上に形成された遊技領域を流下する遊技球を遊技球経路に誘導するため、この遊技球経路の入口となる入賞口への入球が規制された状態である閉鎖位置からその規制が解除された状態である開放位置まで変位可能な開閉部材と、この開閉部材を変位させるための基となる駆動源と、この駆動源の動力を開閉部材まで伝達するリンク機構と、を有する入賞装置を備えた遊技機において、前記リンク機構は、少なくとも、第一伝達部材および第二伝達部材を含み、前記駆動源が駆動することで前記第一伝達部材が原位置から終端位置にかけて移動し、前記第一伝達部材の移動に伴って前記第二伝達部材が変位することで前記開閉部材を前記開放位置にする一方、前記第一伝達部材が前記終端位置から前記原位置にかけて移動することに伴って前記第二伝達部材が変位し、前記開閉部材を前記閉鎖位置にするように構成され、前記第一伝達部材が前記原位置に位置する際に前記開閉部材が前記開放位置に変位しないように前記第二伝達部材の動作を規制する規制部材を有し、前記規制部材は、前記第一伝達部材が前記原位置から前記終端位置に移動する過程で、前記第二伝達部材の動作を規制する規制位置から、前記第二伝達部材の動作の規制を解除する規制解除位置に移動するように構成され、前記第二伝達部材および前記規制部材は、ともに前記遊技球経路を構成する経路部材の壁面に回動自在に支持されるとともに、前記原位置において互いに略対向する面を有し、この略対向する面は、前記閉鎖位置に位置する前記開閉部材に対して前記開放位置に向けて強制的に移動させようとする力が加わったときに接触し、前記第二伝達部材および前記規制部材のそれぞれの回動を互いに阻止することを特徴とする。
【発明の効果】
【０００７】
本発明は、上記動力伝達部が第一伝達部材および第二伝達部材を有する構成とし、第二伝達部材の動作を規制することが可能な規制部材を設けたものである。第一伝達部材が原位置に位置するときには第二伝達部材の動作が規制部材によって規制される（不正な開放部材の開放操作が阻止される）一方、当該規制は開閉部材を開放位置に位置させるときの第一伝達部材の動作によって解除される。つまり、開閉部材を開放させる際の一連の動作によって規制部材による規制が解除される構成である。このように、本発明によれば、動力伝達機能だけでなく、開閉部材の不正開放を防止する機能を具備するリンク機構とすることが可能となる。
より具体的には、閉鎖位置に位置する開閉部材に対して加わった開放位置に向けて強制的に移動させようとする力は、第二伝達部材および規制部材のそれぞれの回動を互いに阻止する力として伝達されるから、開閉部材の不正開放をより確実に防止することが可能である。
【図面の簡単な説明】
【０００８】
【図１】本発明の実施形態にかかる遊技機の正面図である。
【図２】遊技盤の正面図である。
【図３】入賞装置の分解斜視図である。
【図４】入賞装置の平面図である。
【図５】駆動源を取り外した入賞装置の側面図（駆動源側から見た側面図）であって、開閉部材が閉鎖位置に位置している状態（各部材が原位置に位置している状態）を示したものである。
【図６】駆動源を取り外した入賞装置の側面図（駆動源側から見た側面図）であって、開閉部材が開放位置に位置している状態（各部材が終端位置に位置している状態）を示したものである。
【発明を実施するための形態】
【０００９】
（遊技機の全体構成）
以下、本発明にかかる実施形態について図面を参照して詳細に説明する。まず、図１および図２を参照して遊技機１の全体構成について簡単に説明する。遊技機１の骨格は、周知の構成が適用できる。例えば、図１に示すように、額縁形状の機枠９０に前面枠９１が回動自在に支持されてなる。前面枠９１には、前側から遊技盤１１を視認可能とする透明な板９１１が設けられている。
【００１０】
遊技盤１１は、ほぼ正方形の合板により成形されており、前面枠９１に着脱可能に取り付けられている。この遊技盤１１には、略中央に形成された開口１１１を取り囲むように装飾部材１２が取り付けられており、この遊技盤１１および装飾部材１２の一部の前側に、発射された遊技球が流下する遊技領域１３が設けられる。遊技盤１１には、発射装置９６から発射された遊技球を遊技領域１３に案内する金属製の薄板からなる帯状のガイドレール９２が略円弧形状となるように設けられている。
【００１１】
遊技領域１３には、表示装置９３、第一始動入賞口９４１（通常状態時（いわゆる左打ち遊技時）用の始動入賞口）、第二始動入賞口９４２（確変・時短状態時（いわゆる右打ち遊技時）用の始動入賞口）、大入賞口１４（いわゆる右打ち遊技で狙う大入賞口であり、本発明における入賞口に相当する）、アウト口９５などが設けられている。表示装置９３は、例えば液晶表示装置が用いられ、表示装置９３の表示画面（表示部）において特別図柄や普通図柄等が表示される。かかる表示装置９３の表示画面は、遊技盤１１に形成された開口１１１を通じて視認可能である。
【００１２】
本実施形態では、装飾部材１２における遊技領域１３を構成する部分に上記大入賞口１４が設けられている。大入賞口１４には、遊技球の入球を規制（阻止）する状態と遊技球の入球を許可する状態（規制が解除された状態）を切り替えることのできる入賞装置２が設けられている。この入賞装置２の詳細は後述する通りである。
【００１３】
また、遊技領域１３には、流下する遊技球が衝突することにより遊技球の流下態様に変化を与える障害物としての図示しない遊技釘が複数設けられている。遊技領域１３を流下する遊技球は、遊技釘に衝突したときの条件に応じて様々な態様に変化する。
【００１４】
遊技機１の背面側には、図示されないセンターベースユニットが設けられている。このセンターベースユニットには主制御基板やサブ制御基板等の各種制御基板や、球タンク、レール等が設けられている。
【００１５】
このような遊技機１では、発射装置９６（ハンドル）を操作することにより遊技領域１３に向けて遊技球を発射する。遊技領域１３を流下する遊技球が、始動入賞口９４１、９４２や大入賞口１４等の入賞口に入賞すると、所定の数の賞球が払出装置により払い出される。その他、大当たりの抽選方法や演出等は、公知の遊技機と同様のものが適用できるため、説明は省略する。
【００１６】
（入賞装置の構成）
以下、遊技機１が備える入賞装置２の構成について図３〜図６を参照して詳細に説明する。なお、以下の説明において原位置とは入賞装置２によって大入賞口１４への遊技球の入賞が規制されている状態（後述する開閉部材３が閉鎖位置に位置している状態）における各部材の位置をいい、終端位置とは入賞装置２によって大入賞口１４への遊技球の入賞の規制が解除された状態（後述する開閉部材３が開放位置に位置している状態）における各部材の位置をいう。また、以下の説明において前後方向とは遊技機の前後方向（遊技機１の正面側を前とする）を、幅方向とは遊技機の幅方向（左右方向）を、上下方向とは遊技機の上下方向を基準としていうものとする。
【００１７】
入賞装置２は、大入賞口１４への遊技球の入球を規制する状態と規制が解除された状態を切り替える装置であり、装飾部材１２の遊技領域１３を構成する部分における大入賞口１４となる開口が形成された箇所の後側に設けられている。入賞装置２は、開閉部材３と、駆動源４と、リンク機構５と、を備える。
【００１８】
開閉部材３は、大入賞口１４への遊技球の入球が規制された状態である閉鎖位置からその規制が解除された状態である開放位置まで変位（移動）可能に設けられた部材である。この開閉部材３は、大入賞口１４に入球した遊技球を誘導する遊技球経路６１を構成する経路部材６に支持されている。経路部材６は、遊技球経路６１となる連通した二つの経路が上下に併設されたような形状を有する部材である。上に位置する経路の手前側の開口（以下、上開口部６１１と称する）が、装飾部材１２に設けられた大入賞口１４となる開口と同じ位置に位置するように設置される。これにより、大入賞口１４が遊技球経路６１の入口となる。上に位置する経路は、下に位置する経路と経路部材６の後側で連通しており、大入賞口１４（上開口部６１１）から上に位置する経路に入り込んだ遊技球は、Ｕターンするようにして下の経路の手前側の開口（以下、下開口部６１２と称する）から排出されることになる。本実施形態では、下開口部６１２から排出された遊技球は、特典付与演出装置７による演出（後述）に使用されることになる。上に位置する経路と下に位置する経路を繋ぐ部分には、遊技球センサ６３が設けられている。遊技球センサ６３は、遊技球経路６１に進入した遊技球を検出する。つまり、大入賞口１４に入賞した遊技球を検出する。図示されない払出装置は、遊技球を検出したことを受けてそれに応じた賞球を払い出す。
【００１９】
経路部材６（遊技球経路６１）の側方（一方側）には、リンク機構５および駆動源４が配される。当該側の経路部材６の壁面６２（前後方向および上下方向に平行である）には、第一伝達部材５１を案内する第一伝達部材案内レール６２１、第二伝達部材５２を回動自在に支持する第二伝達部材支持突起６２２、および規制部材５３を回動自在に支持する規制部材支持突起６２３が形成されている。第一伝達部材案内レール６２１は、前後方向に直線状に延びる突起である。第二伝達部材支持突起６２２および規制部材支持突起６２３は、円柱状の突起である。
【００２０】
開閉部材３は、被伝達軸３１および案内壁３２を有し、経路部材６の上開口部６１１の手前側に設けられている。具体的には、案内壁３２が上開口部６１１を覆った状態から、案内壁３２が手前側に倒れて上開口部６１１を開放した状態まで、経路部材６に取り付けられる回動軸３３によって回動可能である。案内壁３２が上開口部６１１を覆った状態は、遊技球経路６１へ繋がる遊技球が通過可能な隙間が存在しない状態である。つまり、開閉部材３が、大入賞口１４への遊技球の入球を規制する閉鎖位置に位置した状態である。案内壁３２が手前側に倒れて上開口部６１１を開放した状態は、遊技球経路６１へ繋がる遊技球が通過可能な隙間が存在する状態である。つまり、開閉部材３が、大入賞口１４への遊技球の入球を規制しない開放位置に位置した状態である。開閉部材３が開放位置に位置している場合、大入賞口１４の手前側まで案内された遊技球は、手前側に倒れた状態にある開閉部材３の案内壁３２に案内されて大入賞口１４から遊技球経路６１内に入り込み、遊技球センサ６３によって検出された後、下開口部６１２から排出される。
【００２１】
駆動源４は、開閉部材３を変位（動作）させるための動力源である。本実施形態の駆動源４はソレノイドを用いたものであり、本体部４１および動力軸４２を有する。本体部４１は、中心軸が前後方向に沿うように配された円筒コイルを有する部分である。本実施形態では、円筒コイルを収容するケースの外縁が略直方体形状となっている。動力軸４２は、本体部４１の後端面から前後方向に進退動自在に設けられた軸状の部材である。この動力軸４２の先端には、周方向に張り出した鍔状部４２１が形成されている。また、動力軸４２の外周側には、鍔状部４２１（または後述するリンク機構５の入力部５ａ）の前端面と本体部４１の後端面との間に挟まれるコイルばね４２２が設けられている。円筒コイルに給電すると、動力軸４２はコイルばね４２２の付勢力に抗して円筒コイル（本体部４１）内に引きつけられる。つまり、動力軸４２は前方に移動する。円筒コイルへの給電を停止すると、円筒コイル内に引きつけられていた動力軸４２はコイルばね４２２の付勢力によって本体部４１の後端面からの突出量が大きくなる方向に移動する。つまり、動力軸４２は後方に移動する。このように、動力軸４２は、円筒コイルに給電することによる誘導力およびコイルばね４２２の付勢力によって本体部４１の後端面から出没する部材である。
【００２２】
リンク機構５は、駆動源４の動力を開閉部材３まで伝達する構成である。リンク機構５は、大別すると入力部５ａと動力伝達部５ｂとに分けられる。入力部５ａは、駆動源４の本体部４１よりも後方に位置し、この本体部４１の後端面と対向し、平面を有する部分である。この入力部５ａに駆動源４の動力軸４２が係合している。具体的には次の通りである。入力部５ａには、外側に向かって開口した上下方向に細長い穴５ａａが形成されている。この細長い穴５ａａの厚み（前後方向の長さ）は、駆動源４の動力軸４２に形成された鍔状部４２１の厚みよりも若干大きい。また、入力部５ａの前側の面は、周縁が略「Ｕ」字状となるように切り欠かれており、この切り欠かれた部分５ａｂは上記細長い穴５ａａと連なっている。この切り欠かれた部分５ａｂの上下方向の大きさは、駆動源４の動力軸４２（鍔状部４２１以外の部分）の直径よりも大きく、鍔状部４２１の直径よりも小さい。動力軸４２は、その鍔状部４２１が細長い穴５ａａに入り込み、鍔状部４２１よりも前方に位置する部分が切り欠かれた部分５ａｂに挿通されるようにして入力部５ａに係合されている。これにより、動力軸４２の前後方向の動きは、そのまま入力部５ａの前後方向の動きとなる。つまり、リンク機構５の入力部５ａは、動力軸４２とともに前後方向に移動する部分である。
【００２３】
動力伝達部５ｂは、入力部５ａの前後方向の動作を開閉部材３の開閉動作として伝達する部分である。この動力伝達部５ｂは、駆動源４の本体部４１の側面に沿って位置する。換言すれば、動力伝達部５ｂは、駆動源４の本体部４１に対して幅方向において対向する。なお、入賞装置２の幅方向の大きさをできる限り小さくする観点から、動力伝達部５ｂは駆動源４の本体部４１に接触しない範囲で駆動源４の本体部４１に近い位置に設けられることが望ましい。また、動力伝達部５ｂは、遊技球経路６１（経路部材６）と駆動源４の本体部４１の側面との間に位置する。この動力伝達部５ｂによる開閉部材３までの動力伝達機構については後述するが、動力伝達部５ｂが最終的に開閉部材３に当接する位置は、駆動源４の本体部４１の前端面側（前後方向における本体部の中央よりも前方）である。
【００２４】
このように、リンク機構５を全体で見ると、駆動源４の本体部４１の後方で入力部５ａに伝わった駆動源４の動力は、動力伝達部５ｂによって前方に送られて、最終的には駆動源４の本体部４１の前端面側で開閉部材３に伝達される。つまり、リンク機構５による、入力部５ａから動力伝達部５ｂへ、動力伝達部５ｂから開閉部材３へ、と続く動力伝達経路は、駆動源４の本体部４１の後方から屈曲して前方に向かい最終的には駆動源４の本体部４１の前端面側で開閉部材３に出力される略「Ｌ」字状に屈曲した経路となる。
【００２５】
以下、このリンク機構５の詳細（リンク機構５を構成する構成部材の詳細）について説明する。リンク機構５は、第一伝達部材５１、第二伝達部材５２、および規制部材５３を備える。
【００２６】
第一伝達部材５１は、上記入力部５ａと動力伝達部５ｂの一部によって構成されたものであり、上下方向から見て略「Ｌ」字状に屈曲した板状の部材である。つまり、上記入力部５ａそのものを構成する部分と、そこから屈曲した前後方向に沿う部分（以下出力部分と称する）と、を有する。入力部５ａを構成する部分の形状等は上述した通りである。
【００２７】
第一伝達部材５１の出力部分には、規制解除突部５１１および係合凹部５１２が形成されている。規制解除突部５１１は、上面から上方に向かって突出した突起であって、後方寄り（入力部５ａを構成する部分寄り）に形成されている。係合凹部５１２は、上面から下方に向かって窪んだ凹部であり、上記規制解除突部５１１よりも前方に形成されている。また、第一伝達部材５１の出力部分の側面（経路部材６側の面）には、前後方向に延びる第一伝達部材案内レール６２１を挟むように係合するガイド部（図示せず）が形成されている。両者の係合により、第一伝達部材５１は第一伝達部材案内レール６２１に案内されて前後方向に移動することになる。また、同じ側面には、経路部材６側に突出した接触突起５１３が形成されている。この接触突起５１３は経路部材６の壁面６２に接触している。
【００２８】
第二伝達部材５２は、動力伝達部５ｂの一部を構成する部材であり、第一伝達部材５１の動作に連動動作するものである。この第二伝達部材５２は、経路部材６に形成された第二伝達部材支持突起６２２に回動自在に支持されている。第二伝達部材５２の経路部材６側の側面は、経路部材６の壁面６２に接触している。つまり、第二伝達部材５２は、その経路部材６側の側面が経路部材６の壁面６２に接触しながら回動する。第二伝達部材５２の前側下方位置には、やや上方に向かって窪んだ出力凹部５２１が形成されている。この出力凹部５２１内に、開閉部材３の被伝達軸３１が位置する。また、第二伝達部材５２の駆動源４側の側面における後方には、駆動源４側に向かって突出した被係合突起５２２が形成されている。この被係合突起５２２は、上記第一伝達部材５１の係合凹部５１２内に位置する。さらに、第二伝達部材５２の上端は、前方側が相対的に高く形成されている。当該相対的に高い部分の後面（以下、被規制面５２３と称する）は、上下方向に対してやや傾斜している。具体的には、被規制面５２３は、上方に向かうほど規制部材５３に近づき、開閉部材３から離れるように傾斜している（図５参照）。
【００２９】
規制部材５３は、経路部材６に形成された規制部材支持突起６２３に回動自在に支持された部材である。規制部材５３の経路部材６側の側面は、経路部材６の壁面６２に沿って（接触して）いる。つまり、規制部材５３は、その経路部材６側の側面が経路部材６の壁面６２に接触しながら回動する。規制部材５３の下面には、下方に向かって突出した被規制解除突部５３１が形成されている。被規制解除突部５３１は、前方に向かって次第に低くなるように（突出量が大きくなるように）傾斜している。また、規制部材５３には、前方に向かって直線状に延びる突起（以下、規制突起５３２と称する）が形成されている。この突起の先端面（以下、規制面５３３と称する）は、上下方向に対してやや傾斜しており、上記第二伝達部材５２の被規制面５２３と略対向し、近接または接触している。すなわち、下方に向かうほど第二伝達部材５２に近づくように傾斜している。規制部材５３が原位置にあるとき、規制突起５３２は第二伝達部材５２の上端面の相対的に低い部分に接触している（図５参照）。
【００３０】
上述したように、リンク機構５を構成する各部材（第一伝達部材５１、第二伝達部材５２および規制部材５３）は、少なくとも一部が経路部材６の壁面６２に沿って（接触して）配置されている。そして、図４に示すように、リンク機構５を構成する各部材は、壁面６２から駆動源４側に向かう幅Ｗの領域内に収まるように構成されている。
【００３１】
（入賞装置の作用）
上記構成を備える入賞装置２の作用（動作）について一部上記説明と重複するが以下詳細に説明する。
【００３２】
１）原位置での入賞装置の不正防止作用
まず、原位置での入賞装置２の不正防止作用について説明する。原位置、すなわち開閉部材３が閉鎖位置に位置している状態（図５に示した状態）においては、不正な開閉部材３の開放を防止する機能が働く。
【００３３】
案内壁３２を手前側に傾倒させようとする、すなわち開閉部材３を図５における時計回りに回動させようとする（以下、時計回り、反時計回りというときは、図５、図６における回動方向をいうものとする）と、開閉部材３の被伝達軸３１が回動軸３３を中心とする円弧を描くように時計回りに移動しようとする。原位置において被伝達軸３１は、第二伝達部材５２の出力凹部５２１の上方側内壁面５２１ａに近接または接触している（第二伝達部材５２の出力凹部５２１は、駆動源４の本体部４１の前端面側で開閉部材３の被伝達軸３１に近接または接触している）。したがって、開放部材を不正に開放しようとする力は、被伝達軸３１を通じて第二伝達部材５２に伝わる。
【００３４】
このような力が伝わった第二伝達部材５２は、第二伝達部材支持突起６２２を中心として反時計回りに回動しようとする。しかし、このような力が加わると、第二伝達部材５２の被規制面５２３が規制部材５３の規制面５３３に接触することにより、第二伝達部材５２および規制部材５３のそれぞれが互いの回動を阻止する方向に回動しようとする。つまり、第二伝達部材５２が反時計回りに回動することはなく、開閉部材３が開放位置に変位することもない。
【００３５】
特に、本実施形態では、被規制面５２３は、上方に向かうほど規制部材５３に近づき、開閉部材３から離れるように傾斜しており、規制面５３３は、下方に向かうほど第二伝達部材５２に近づくように傾斜している。このような形状であると、不正な開放操作によって第二伝達部材５２まで伝わった力は、被規制面５２３と規制面５３３の接触により、時計回りに回動させようとする力として規制部材５３に伝わる。原位置において規制部材５３の規制突起５３２は第二伝達部材５２の上端に接触しているから、第二伝達部材５２が反時計回りに回動しようとし、規制部材５３が時計回りに回動しようとすれば、規制部材５３の規制突起５３２と第二伝達部材５２の上端とが互いに押し合うような状態となり、いずれも回動しないことになる。つまり、被規制面５２３および規制面５３３を上記のような傾斜面とすることにより、確実に第二伝達部材５２の回動、すなわち開閉部材３の不正な開放操作を阻止することが可能である。
【００３６】
なお、仮に被規制面５２３および規制面５３３の傾斜が逆だとすると、不正な開放操作によって第二伝達部材５２まで伝わった力は、被規制面５２３と規制面５３３の接触により、反時計回りに回動させようとする力として規制部材５３に伝わる。つまり、規制部材５３の規制突起５３２が、第二伝達部材５２から離れる方向に回動してしまう可能性が高まるため、第二伝達部材５２の回動、延いては開閉部材３の不正開放を許してしまうおそれが高まる。
【００３７】
２）開閉部材の開放動作
閉鎖位置（原位置）に位置する開閉部材３（図５に示した状態にある開閉部材３）を開放位置に位置させる（図６に示した状態とする）一連の動作について説明する。まず、円筒コイルに給電し、原位置に位置する駆動源４の動力軸４２を前方に移動させる。動力軸４２の先端には、リンク機構５の入力部５ａが係合しているから、動力軸４２とともに入力部５ａが前方に移動する。入力部５ａが前方に移動するということは、入力部５ａを有する第一伝達部材５１が前方に移動するということである。上述したように、第一伝達部材５１の出力部分には、第一伝達部材案内レール６２１に係合した図示されないガイド部および経路部材６の壁面６２に接触した接触突起５１３が形成されているから、第一伝達部材５１の出力部分は、経路部材６の壁面６２に接触突起５１３を接触させながら第一伝達部材案内レール６２１に案内されて、経路部材６の壁面６２に沿って前方に移動する。
【００３８】
第一伝達部材５１が前方に移動すると、第一伝達部材５１の出力部分に形成された規制解除突部５１１が、規制部材５３に形成された被規制解除突部５３１に接触する。被規制解除突部５３１は、前方に向かって下るように傾斜しているため、第一伝達部材５１が前方に移動すればするほど、規制部材５３が上方に押し上げられていく。つまり、規制部材５３が反時計回りに回動していく。上述したように、規制部材５３の経路部材６側の側面は経路部材６の壁面６２に接触しているため、当該側面を壁面６２に接触させながら規制部材５３は回動する。このように規制部材５３が反時計回りに回動すると、規制部材５３の規制面５３３が第二伝達部材５２の被規制面５２３と略対向した状態が解除される。すなわち、規制部材５３は、第二伝達部材５２の回動を規制（阻止）する規制位置からその規制が解除された規制解除位置まで移動する。
【００３９】
このように規制部材５３が反時計回りに回動し、第二伝達部材５２の回動が規制された状態が解除されるまでの間、第一伝達部材５１の係合凹部５１２内に位置する第二伝達部材５２の被係合突起５２２は係合凹部５１２内を相対的に後方へ移動するものの、係合凹部５１２の後方側内壁面５１２ａに接触することはない。被係合突起５２２が係合凹部５１２の後方側内壁面５１２ａに接触しない限り、第一伝達部材５１と第二伝達部材５２が接触することはないから、この間は駆動源４の動力が第一伝達部材５１を介して第二伝達部材５２に伝わることはない。なお、この作用を発揮するためには、少なくとも、原位置において「前後方向における規制解除突部５１１と被規制解除突部５３１の距離」＜「前後方向における係合凹部５１２の後方側内壁面５１２ａと被係合突起５２２の距離」となるように各部材を設計する必要がある。
【００４０】
この後、さらに第一伝達部材５１が前方に移動すると、被係合突起５２２が係合凹部５１２の後方側内壁面５１２ａに接触する。これにより、駆動源４の動力が、第一伝達部材５１を介して第二伝達部材５２に伝わることになる。被係合突起５２２が係合凹部５１２の後方側内壁面５１２ａに接触した後は、第一伝達部材５１が前方に移動するに従い、第二伝達部材５２が反時計回りに回動していく。上述したように、第二伝達部材５２の経路部材６側の側面は経路部材６の壁面６２に接触しているため、当該側面を壁面６２に接触させながら第二伝達部材５２は回動する。
【００４１】
第二伝達部材５２が所定量反時計回りに回動すると、第二伝達部材５２の出力凹部５２１の下方側内壁面５２１ｂに開閉部材３の被伝達軸３１が当接する。つまり、第二伝達部材５２（動力伝達部５ｂ）は、駆動源４の本体部４１の前端面側で開閉部材３に当接する（第二伝達部材５２の出力凹部５２１は、駆動源４の本体部４１の前端面側で開閉部材３の被伝達軸３１に当接する）。この後は第二伝達部材５２が反時計回りに回動するに従い、被伝達軸３１が出力凹部５２１の下方側内壁面５２１ｂに押されることによりだんだんと開閉部材３（案内壁３２）が開放位置に向かって変位していく。図６に示すように、第一伝達部材５１が終端位置に到達すると、開閉部材３は開放位置に位置した状態、すなわち遊技球経路６１への遊技球の入球が可能な状態となる。
【００４２】
このように、開閉部材３を開放位置に位置させる一連の動作は、１）第一伝達部材５１が規制位置に位置する規制部材５３を規制解除位置まで移動させ、規制部材５３による第二伝達部材５２の動作を規制した状態を解除する、２）第一伝達部材５１に伝達された駆動源４の動力を第二伝達部材５２を介して開閉部材３に伝達する、の順で行われる。駆動源４によって前進動作する第一伝達部材５１は、その前半の前進動作で規制部材５３を規制解除位置まで移動させ、後半の前進動作で第二伝達部材５２を介して開閉部材３を開放位置に変位させる。つまり、本実施形態にかかる入賞装置２は、開閉部材３を開放位置に変位させる際、一の部材である第一伝達部材５１の前進動作によって、開閉部材３への動力の伝達前に、不正防止のための規制が解除されるように構成されたものである。
【００４３】
３）開閉部材の閉鎖動作
上記開放動作によって開放位置（終端位置）に位置した開閉部材３（図６に示した状態にある開閉部材３）を閉鎖位置に戻す（図５に示した状態とする）一連の動作について説明する。まず、円筒コイルへの給電を停止し、コイルばね４２２の付勢力により終端位置（前進端位置）に位置する動力軸４２を後方に移動させる。動力軸４２の先端には、リンク機構５の入力部５ａが係合しているから、動力軸４２とともに入力部５ａが後方に移動する。入力部５ａが後方に移動するということは、入力部５ａを有する第一伝達部材５１が後方に移動するということである。上述したように、第一伝達部材５１の出力部分には、第一伝達部材案内レール６２１に係合した図示されないガイド部および経路部材６の壁面６２に接触した接触突起５１３が形成されているから、第一伝達部材５１の出力部分は、経路部材６の壁面６２に接触突起５１３を接触させながら第一伝達部材案内レール６２１に案内されて、経路部材６の壁面６２に沿って後方に移動する。
【００４４】
第一伝達部材５１が後方に移動すると、被規制解除突部５３１に接触し規制部材５３を押し上げていた規制解除突部５１１が後方に移動する。被規制解除突部５３１は、前方に向かって下るように傾斜しているため、第一伝達部材５１が後方に移動すればするほど、規制解除突部５１１による規制部材５３の押し上げ量が小さくなり、規制部材５３がそれ自体の重みにより時計回りに回動していく。上述したように、規制部材５３の経路部材６側の側面は経路部材６の壁面６２に接触しているため、当該側面を壁面６２に接触させながら規制部材５３は回動する。そして、規制解除突部５１１が規制部材５３に接触した状態が解消されると、規制部材５３の規制面５３３が第二伝達部材５２の被規制面５２３と略対向した状態となる。このように、規制部材５３は、第二伝達部材５２の回動を規制しない規制解除位置から、第二伝達部材５２の回動を規制する規制位置まで移動する。
【００４５】
このように規制部材５３が時計回りに回動し、第二伝達部材５２の回動を規制する状態に移行するまでの間、第一伝達部材５１の係合凹部５１２内に位置する第二伝達部材５２の被係合突起５２２は係合凹部５１２内を相対的に前方へ移動するものの、係合凹部５１２の前方側内壁面５１２ｂに接触することはない。被係合突起５２２が係合凹部５１２の前方側内壁面５１２ｂに接触しない限り、第一伝達部材５１と第二伝達部材５２が接触することはないから、この間は駆動源４の動力が第一伝達部材５１を介して第二伝達部材５２に伝わることはない。
【００４６】
この後、さらに第一伝達部材５１が後方に移動すると、被係合突起５２２が係合凹部５１２の前方側内壁面５１２ｂに接触する。これにより、駆動源４の動力（コイルばね４２２の付勢力）が、第一伝達部材５１を介して第二伝達部材５２に伝わることになる。被係合突起５２２が係合凹部５１２の前方側内壁面５１２ｂに接触した後は、第一伝達部材５１が後方に移動するに従い、第二伝達部材５２が時計回りに回動していく。上述したように、第二伝達部材５２の経路部材６側の側面は経路部材６の壁面６２に接触しているため、当該側面を壁面６２に接触させながら第二伝達部材５２は回動する。また、第一伝達部材５１が後方に移動してから被係合突起５２２が係合凹部５１２の前方側内壁面５１２ｂに接触するまでの間、開閉部材３はその自重によって開放位置に位置した状態を維持している。
【００４７】
第二伝達部材５２が所定量時計回りに回動すると、第二伝達部材５２の出力凹部５２１の上方側内壁面５２１ａに開閉部材３の被伝達軸３１が当接する。つまり、第二伝達部材５２（動力伝達部５ｂ）は、駆動源４の本体部４１の前端面側で開閉部材３に当接する（第二伝達部材５２の出力凹部５２１は、駆動源４の本体部４１の前端面側で開閉部材３の被伝達軸３１に当接する）。この後は第二伝達部材５２が時計回りに回動するに従い、被伝達軸３１が出力凹部５２１の上方側内壁面５２１ａに押されることによりだんだんと開閉部材３（案内壁３２）が閉鎖位置に向かって変位していく。図５に示すように、第一伝達部材５１が原位置に到達すると、開閉部材３は閉鎖位置に位置した状態、すなわち遊技球経路６１への遊技球の入球が不可能な状態となる。
【００４８】
このように、開閉部材３を閉鎖位置に位置させる一連の動作は、１）第一伝達部材５１が規制解除位置に位置する規制部材５３を規制位置まで移動させ、規制部材５３による第二伝達部材５２の動作を規制した状態とする、２）第一伝達部材５１に伝達された駆動源４の動力を第二伝達部材５２を介して開閉部材３に伝達する、の順で行われる。駆動源４によって後退動作する第一伝達部材５１は、その前半の後退動作で規制部材５３を規制位置まで移動させ、後半の後退動作で第二伝達部材５２を介して開閉部材３を閉鎖位置に変位させる。つまり、本実施形態にかかる入賞装置２は、開閉部材３を閉鎖位置に変位させる際、一の部材である第一伝達部材５１の後退動作によって、開閉部材３への動力の伝達前に、不正防止のための規制が設定されるように構成されたものである。
【００４９】
（本実施形態の効果）
以上説明した本実施形態にかかる遊技機によれば、次のような効果が奏される。
【００５０】
本実施形態における入賞装置２は、駆動源４の動力がその後方から入力部５ａに出力され、駆動源４の側面に沿う動力伝達部５ｂによって開閉部材３まで伝達される（リンク機構５による動力伝達経路が略Ｌ字状になる）構成である。つまり、駆動源４（本体部４１）が遊技球経路６１およびリンク機構５と幅方向に並んで配置された構成であるから、入賞装置２の前後方向の大きさを小さくすることが可能となる。
【００５１】
特に、本実施形態では入賞装置２は装飾部材１２に設けられるため、入賞装置２の前後方向の大きさを小さくすることが重要となる。一般的にこの種の入賞装置２は、入賞した遊技球をそのまま排出すればよいため、遊技盤１１に設置されるものである。しかし、本実施形態では大入賞口１４に入賞した遊技球を用いて以下の演出を実行するため、装飾部材１２に入賞装置２が設けられている。
【００５２】
大入賞口１４に入賞した遊技球は、遊技球センサ６３によって入賞したことが検出された後、経路部材６の下開口部６１２から排出されて、大入賞口１４の下方に位置する特典付与演出装置７（図１および図２参照）の当選領域あるいは非当選領域に送られる。特典付与演出装置７では、入賞装置２から送られた遊技球が所定の領域に進入すれば遊技者に特典を付与することとなる遊技が実行される。その遊技の一例としては、通常は閉状態であるが、定期的に開状態となる特典付与演出装置７の当選領域に遊技球が進入すれば、大当たり遊技終了後に遊技者にとって有利な遊技状態（例えば高確率状態）や次回ラウンドが設定される遊技が挙げられる。つまり、大当たり遊技によって大入賞口１４に入賞したいわゆる「死に球」を用いた演出である。このような演出を行う特典付与演出装置７は、遊技球が所定の領域に進入するかどうかを遊技者に視認可能とする（図１および図２に示した構成では「Ｖ」と印字された透明な窓から視認可能である）ため、できるだけ遊技者に近い位置、すなわちできるだけ前に設けることが望ましい。
【００５３】
本実施形態では、このような観点から特典付与演出装置７を装飾部材１２に設置している。そのため、この特典付与演出装置７で用いられる遊技球を排出する入賞装置２も装飾部材１２に設置している。装飾部材１２は、遊技盤１１と前面枠９１に支持された透明な板９１１との間に収める必要があるため、前後方向の大きさが制限される。それゆえ、このような前後方向の大きさが小さくなってしまう装飾部材１２に入賞装置２を設置する場合には、入賞装置２の前後方向の大きさをできる限り小さくすることが重要となる。本実施形態における入賞装置２はこの要望に応えるものである。
【００５４】
また、動力伝達部５ｂを駆動源４の本体部４１の側面と遊技球経路６１の間に配置させる場合、動力伝達部５ｂを配置するための幅方向のスペースが小さくなってしまうところ、本実施形態であれば配置することが可能となる。特に、本実施形態では、動力伝達部５ｂを構成する第一伝達部材５１および第二伝達部材５２や規制部材５３の少なくとも一部が経路部材６に接触し、各部材はその少なくとも一部が経路部材６の壁面６２に沿って動作するものである。そして、これら各部材は、遊技球よりも狭く壁面６２と略同一の幅で構成されているため、経路部材６の壁面６２から駆動源４側に向かう図４に示した幅Ｗの領域に収まっている。このような構成であるため、本実施形態の入賞装置２の幅方向の大きさは非常に小さい。
【００５５】
また、リンク機構５を構成する各部材はその少なくとも一部が経路部材６の壁面６２に接触した状態を保ちつつ動作するため、各部材が動作する際のぶれ（がたつき）を抑制することが可能となる。
【００５６】
また、本実施形態は、動力伝達部５ｂが第一伝達部材５１および第二伝達部材５２という二つの部材によって構成されるものとした上で、その第二伝達部材５２の動作を規制することが可能な規制部材５３を設け、第一伝達部材５１が原位置に位置するときには第二伝達部材５２の動作が規制部材５３によって規制される（不正な開放部材の開放操作が阻止される）一方、当該規制は開閉部材３を開放位置に位置させるときの第一伝達部材５１の動作によって解除されるものである。つまり、動力伝達機能だけでなく、開閉部材３の不正開放を防止する機能を具備するリンク機構５とすることが可能である。
【００５７】
また、本実施形態では、第一伝達部材５１の係合凹部５１２内に第二伝達部材５２の被係合突起５２２が位置する構成であり、被係合突起５２２が係合凹部５１２内を相対的に移動し、係合凹部５１２の後方側内壁面５１２ａに接触する前までは第一伝達部材５１まで伝わった駆動源４の動力が第二伝達部材５２に伝わることがないため、この間に第一伝達部材５１によって規制部材５３を規制解除位置に位置させることが可能となる。特に、本実施形態における入賞装置２は、駆動源４（本体部４１）が遊技球経路６１およびリンク機構５と幅方向に並んで配置されており、入賞装置２の前後方向の大きさが抑制されているから、前後方向における第一伝達部材５１の移動量（ストローク量）を従来に比して大きく設定することが可能である。本実施形態は、このように前後方向における第一伝達部材５１の移動量を大きくすることが可能であることを巧みに利用して、第一伝達部材５１の大きな移動のうちの一部が「規制部材５３を規制解除位置へ移動させる」動力として活用され、その他が「開閉部材３を開放位置へ移動させる」動力として活用されるように構築したものである。
【００５８】
また、本実施形態では、閉鎖位置に位置する開閉部材３に対して加わった開放位置に向けて強制的に移動させようとする力は、第二伝達部材５２および規制部材５３のそれぞれの回動を互いに阻止する力として伝達されるから、開閉部材３の不正開放をより確実に防止することが可能となる。
【００５９】
以上、本発明の実施の形態について詳細に説明したが、本発明は上記実施の形態に何ら限定されるものではなく、本発明の要旨を逸脱しない範囲で以下のような種々の改変が可能である。
【００６０】
上記実施形態では、入賞装置２は大入賞口１４に設けられていることを説明したが、大入賞口１４以外の入賞口に同様の入賞装置２を適用することも可能である。例えば、上記実施形態では第二始動入賞口９４２に同様の入賞装置２を適用することが可能である。
【００６１】
上記実施形態では、駆動源はソレノイドを用いたものであることを説明したが、本体部の後端面側から進退動作する動力軸を有するものであればソレノイドを用いたものに限られない。
【符号の説明】
【００６２】
１  遊技機
１１  遊技盤
１２  装飾部材
１３  遊技領域
１４  大入賞口
２  入賞装置
３  開閉部材
４  駆動源
４１  本体部
４２  動力軸
５  リンク機構
５ａ  入力部
５ｂ  動力伝達部
５１  第一伝達部材
５１１  規制解除突部
５１２  係合凹部
５１２ａ  後方側内壁面
５１３  接触突起
５２  第二伝達部材
５２１  出力凹部
５２２  被係合突起
５２３  被規制面
５３  規制部材
５３１  被規制解除突部
５３２  規制突起
５３３  規制面  
６  経路部材
６１  遊技球経路
６２  壁面
【図１】
0005927516.tif 000002
【図２】
0005927516.tif 000003
【図３】
0005927516.tif 000004
【図４】
0005927516.tif 000005
【図５】
0005927516.tif 000006
【図６】
0005927516.tif 000007